(57)【要約】【課題】  機能性に優れ、しかも、外観に優れた柱を提供する。また、柱と構造部材との連結部分における強度の向上を図ることができる柱の連結構造を提供する。【解決手段】  柱１は、アルミニウム合金製の押出形材からなり、柱軸Ｏに沿った突条部２Ａ〜２Ｄが設けられており、突条部２Ａ〜２Ｄが中空部４Ａ〜４Ｄを備えてなる。突条部２Ａ〜２Ｄは、柱軸Ｏ周りに平断面で略十字状を呈するように形成されている。【選択図】      図１
2005350934.tif 000002
【特許請求の範囲】
【請求項１】
押出形材からなる柱であって、
柱軸に沿った突条部が設けられており、前記突条部が中空部を備えてなることを特徴とする柱。
【請求項２】
押出形材からなる柱であって、
柱軸周りに放射状に突出形成され、前記柱軸に沿った複数の突条部を有し、
前記突条部が中空部を備えてなることを特徴とする柱。
【請求項３】
前記突条部は、前記柱軸周りに平断面で略十字状を呈するように形成されていることを特徴とする請求項２に記載の柱。
【請求項４】
アルミニウム合金製の押出形材からなることを特徴とする請求項１から請求項３のいずれか１項に記載の柱。
【請求項５】
請求項１から請求項４のいずれか１項に記載の柱に適用される柱の連結構造であって、
前記柱と連結された構造部材と、
前記柱と前記構造部材との間に介設された連結部材と、を備え、
前記連結部材は、前記柱の前記突条部の前記中空部に挿入されて固定される挿入部と、前記構造部材に固定される固定部とを有していることを特徴とする柱の連結構造。
【請求項６】
請求項２から請求項４のいずれか１項に記載の柱に適用される柱の連結構造であって、
前記柱と連結された構造部材と、
前記柱と前記構造部材との間に介設された連結部材と、を備え、
前記連結部材は、前記複数の突条部に対応して複数設けられ、前記中空部に挿入されて固定される挿入部と、前記構造部材に固定される固定部とを有し、
前記複数の突条部の前記中空部間に跨って前記連結部材の前記挿入部が挿入されていることを特徴とする柱の連結構造。
【請求項７】
請求項２から請求項４のいずれか１項に記載の柱に適用される柱の連結構造であって、
前記柱と連結された構造部材と、
前記柱と前記構造部材との間に介設された連結部材と、を備え、
前記複数の突条部における前記中空部同士が少なくとも一部において連通して設けられているとともに、前記連結部材は、前記連通して設けられた前記中空部間に亘る長さの挿入部と、前記構造部材に固定される固定部とを有し、
前記連通して設けられた前記中空部間に亘って前記連結部材の前記挿入部が挿入されていることを特徴とする柱の連結構造。
【請求項８】
前記柱は、前記突条部が前記柱の端部まで延設されているとともに、前記柱の端部には、前記中空部を臨む端部開口部が形成されており、
前記連結部材は、前記挿入部が前記端部開口部から前記中空部に挿入された状態で、前記柱の端部に取り付けられていることを特徴とする請求項５から請求項７のいずれか１項に記載の柱の連結構造。
【請求項９】
前記柱の前記突条部の側端部には、前記中空部を臨む側端部開口部が形成されていることを特徴とする請求項５から請求項８のいずれか１項に記載の柱の連結構造。
【請求項１０】
前記側端部開口部は、前記端部開口部の縁部から連続して切り欠かれて形成されていることを特徴とする請求項９に記載の柱の連結構造。
【請求項１１】
前記連結部材は、複数の構成部材を組み合わせて形成されてなり、前記各構成部材が前記挿入部をそれぞれ有していることを特徴とする請求項５から請求項１０のいずれか１項に記載の柱の連結構造。
【請求項１２】
前記柱は基礎に固定されて立設されており、
前記柱の上端部が前記連結部材を介して前記構造部材としての土台に連結されていることを特徴とする請求項５から請求項１１のいずれか１項に記載の柱の連結構造。
【請求項１３】
前記突条部と前記連結部材の挿入部とが、前記突条部の表面から螺入されたドリリングタッピングねじによって接合されていることを特徴とする請求項５から請求項１２のいずれか１項に記載の柱の連結構造。
【請求項１４】
前記連結部材は、アルミニウム合金製の押出形材からなることを特徴とする請求項５から請求項１３のいずれか１項に記載の柱の連結構造。
【発明の詳細な説明】
【技術分野】
【０００１】
本発明は、柱および柱の連結構造に関する。
【０００２】
本明細書において、柱に連結される構造部材としては、基礎、土台、大引、梁材、柱材、筋交、壁材などの鉛直荷重あるいは水平荷重に抗する部材が挙げられる。
【背景技術】
【０００３】
近年、軽量で耐食性に優れたアルミニウム合金製の構造部材が、住宅等の建物を形成する構造体に広く活用されてきている。特に、アルミニウム合金製の押出形材は、断面の形状やサイズの設計の自由度が高くなっており、住宅等の建物の柱としての利用が高くなってきている。
【０００４】
ところで、住宅等の建物において、柱と構造部材とを連結させる際、柱と構造部材との間に連結部材を介設させる手法が一般的に知られている（例えば、特許文献１参照）。この特許文献１に示された柱の連結構造では、柱の側面に、長手方向に沿ったボルト係合用の溝が形成されており、この溝にボルトを係合させることによって、柱にボルトが保持され、このボルトを介して連結部材が柱に固定されるようになっている。
【０００５】
このような柱の連結構造によれば、柱に連結部材を固定するためのボルトが、柱の一側面側から他側面側に向けて貫通するような構成とはなっておらず、柱の一側面側に設けられた溝部にボルトの頭が係合されて保持される構成であるので、前記のようなボルトが貫通するような構成と異なり、連結部材を固定する際のボルト締めによって、柱が歪んでしまうことが防止されている。
【０００６】
【特許文献１】特開２００４−１００４５４（段落００１５〜００１７、図２，図３）
【発明の開示】
【発明が解決しようとする課題】
【０００７】
ところで、従来の柱の連結構造では、柱と構造部材との連結部分の強度の向上を図るために、柱の形状や柱と連結部材との連結部分における構造の改善が望まれていた。
また、一方で、アルミニウム合金製の押出形材ならではの機能性を具備し、外観にも優れた柱が望まれていた。
【０００８】
そこで、本発明は、機能性に優れ、しかも、外観に優れた柱を提供することを第１の課題とするとともに、柱と構造部材との連結部分における強度の向上を図ることができる柱の連結構造を提供することを第２の課題とする。
【課題を解決するための手段】
【０００９】
前記第１の課題を解決するため、本発明の柱は、押出形材からなる柱であって、柱軸に沿った突条部が設けられており、前記突条部が中空部を備えてなることを特徴とする。
【００１０】
かかる柱によれば、押出形材からなるので、押出成形により容易に形成することができ、また、効率よく生産することができる。柱には、柱軸に沿った突条部が設けられており、この突条部は中空部を備えてなるので、この突条部を利用して、例えば、柱に対して構造部材を固定するために用いられる連結部材を固定することができる。したがって、機能性に優れた柱が得られる。しかも、従来のような溝部を柱の側面に設ける必要がなくなるので、外観もすっきりしたものとなり、居室内等に露出させた場合にも圧迫感が無く外観に優れた柱が得られる。また、突条部は、柱軸に沿って設けられているので、柱の補強材としての役割をなす。したがって、シンプルな構成であるにもかかわらず、強度の高められた柱が得られる。
【００１１】
また、突条部は中空部を備えているので、前記連結部材の固定にあたっては、例えば、中空部に対して連結部材の挿入部を挿入した状態で固定するという固定態様を採ることができる。つまり、突条部に対して連結部材の挿入部がサンドイッチ状態に挟み込まれた状態となるようにして固定を行うことができる。したがって、このような固定態様を採ることにより、突条部と連結部材の挿入部とのボルトを用いた固定を簡単に行うことができる。
しかも、連結部材は、その挿入部が突条部の中空部に対して挿入されて固定されるという固定態様を採ることにより、突条部に対する中子として作用するようになり、構造部材との連結を行う連結具としての役割を有するとともに、補強材としての役割を同時に兼ね備えたものとなる。したがって、柱の突条部に連結部材を固定することによって、柱の突条部が同時に補強されるようになり、ひいては、柱全体の剛性を向上させることができるようになる。
【００１２】
また、前記のような固定態様においては、連結部材の挿入部が、突条部に挟持された状態で固定されるので、柱に対する連結部材の取付状態は安定したものとなり、その結果、柱に構造部材を安定した状態で取り付けることができるようになる。つまり、柱と構造部材との連結部分における強度の向上を図ることができる柱が得られる。
【００１３】
また、本発明の柱は、押出形材からなる柱であって、柱軸周りに放射状に突出形成され、前記柱軸に沿った複数の突条部を有し、前記突条部が中空部を備えてなる構成とするのがよい。
【００１４】
かかる柱によれば、複数の突条部が柱軸周りに放射状に突出して形成されているので、外観をより向上させることができるようになり、従来にないデザイン的価値をもたせることができる。
また、複数の突条部が突出して形成されている分、柱の強度を向上させることができ、特別な付帯設備を付加することなしに、柱の剛性を高めることができる。
さらに、複数の突条部が突出して形成されているので、前記したような連結部材を介して複数の構造部材を柱に対して連結することができ、機能性がより高められた柱が得られる。
【００１５】
また、前記突条部は、前記柱軸周りに平断面で略十字状を呈するように形成されている構成とするのがよい。
かかる構成によれば、外観に優れ、意匠的効果を十分に発揮することが可能な柱が得られる。しかも、突条部は柱軸周りに平断面で略十字状を呈するように形成されているので、耐力に優れ、構造強度の安定した柱が得られる。
さらに、突条部は柱軸を中心とする対称位置に設けられることとなるので、前記したような構造部材を取り付ける際の取付作業性に優れているという利点も得られる。
【００１６】
また、アルミニウム合金製の押出形材からなる構成とするのがよい。
かかる柱によれば、強度の割に軽量で腐食し難いというアルミニウム合金のメリットを活かすことができる。すなわち、柱が軽量になるので、施工時の取り扱いが容易で、また、従来の木造住宅にも容易に適用することができる。また、廃棄の際の取扱も容易になる。
【００１７】
前記第２の課題を解決するため、本発明の柱の連結構造は、前記した柱に適用される柱の連結構造であって、前記柱と連結された構造部材と、前記柱と前記構造部材との間に介設された連結部材と、を備え、前記連結部材は、前記柱の前記突条部の前記中空部に挿入されて固定される挿入部と、前記構造部材に固定される固定部とを有している。
【００１８】
かかる柱の連結構造によれば、連結部材の挿入部を柱の突条部の中空部に挿入して固定するとともに、連結部材の固定部に構造部材を固定することで、連結部材を介して柱に構造部材を固定することができる。柱に対して連結部材を固定する際には、突条部の中空部に連結部材の挿入部を挿入することにより行うことができるので、固定が簡単であるとともに、連結部材の挿入部は、突条部に挟持された状態で固定されることとなり、柱に対する連結部材の取付状態が安定するという利点が得られる。したがって、柱と構造部材との連結部分における強度の向上を図ることができる。
また、連結部材の挿入部が突条部に挿入されることにより、隠れた状態となるので、外観もすっきりした柱の連結構造が得られる。
【００１９】
さらに、本発明の柱の連結構造は、前記した柱に適用される柱の連結構造であって、前記柱と連結された構造部材と、前記柱と前記構造部材との間に介設された連結部材と、を備え、前記連結部材は、前記複数の突条部に対応して複数設けられ、前記中空部に挿入されて固定される挿入部と、前記構造部材に固定される固定部とを有し、前記複数の突条部の前記中空部間に跨って前記連結部材の前記挿入部が挿入されている構成とした。
【００２０】
かかる柱の連結構造によれば、連結部材の挿入部が複数の突条部の中空部間に跨って挿入されるので、少なくとも２つ以上の突条部において連結部材の挿入部が固定されることとなり、より強度の高い連結部材の取付状態を実現することができる。
【００２１】
また、本発明の柱の連結構造は、前記した柱に適用される柱の連結構造であって、前記柱と連結された構造部材と、前記柱と前記構造部材との間に介設された連結部材と、を備え、前記複数の突条部における前記中空部同士が少なくとも一部において連通して設けられているとともに、前記連結部材は、前記連通して設けられた前記中空部間に亘る長さの挿入部と、前記構造部材に固定される固定部とを有し、前記連通して設けられた前記中空部間に亘って前記連結部材の前記挿入部が挿入されている構成とした。
【００２２】
かかる柱の連結構造によれば、連結部材の挿入部が複数の突条部の中空部間に亘って挿入されるので、少なくとも２つ以上の突条部に亘って連結部材の挿入部が固定されることとなり、より強度の高い連結部材の取付状態を実現することができる。
【００２３】
また、前記柱は、前記突条部が前記柱の端部まで延設されているとともに、前記柱の端部には、前記中空部を臨む端部開口部が形成されており、前記連結部材は、前記挿入部が前記端部開口部から前記中空部に挿入された状態で、前記柱の端部に取り付けられている構成とするのがよい。
【００２４】
かかる柱の連結構造によれば、柱の端部、つまり、柱の上端部あるいは下端部に対して、連結部材を簡単に取り付けることができる。したがって、連結部材を介して土台等の構造部材に柱を立設することができ、また、連結部材を介して柱の上端部に梁材等の構造部材を連結することができる。したがって、施工性に優れた柱の連結構造が得られる。
【００２５】
さらに、前記柱の前記突条部の側端部には、前記中空部を臨む側端部開口部が形成されている構成とするのがよい。
【００２６】
かかる柱の連結構造によれば、突条部の側端部に形成された側端部開口部を利用して、突条部の中空部に連結部材の挿入部を挿入することができる。このように、突条部の側端部に側端部開口部を形成することで、突条部の中空部に連結部材の挿入部を挿入することができ、また、突条部は前記のように柱軸に沿って突条に設けられているので、前記側端部開口部を、例えば、柱の途中の任意の位置に形成することができ、これにより、突条部の任意の位置に、連結部材を固定することができる。このようにして固定した連結部材では、例えば、柱勝ち等の構造部材の連結に寄与する。なお、側端部開口部を利用して挿入した連結部材の挿入部が、複数の突条部の中空部間に亘って挿入されるようにすることもできる。この場合にも、少なくとも２つ以上の突条部に亘って連結部材の挿入部が固定されることとなり、より強度の高い連結部材の取付状態を実現することができる。
【００２７】
また、前記側端部開口部は、前記柱の前記端部開口部の縁部から連続して切り欠かれて形成されている構成とするのがよい。
かかる柱の連結構造によれば、側端部開口部が柱の端部開口部の縁部から連続して切り欠かれて形成されているので、開口部への連結部材の固定を、端部開口部側から行うことができ、施工性に優れた柱の連結構造が得られる。
また、端部開口部から突条部の中空部に挿入部が挿入されることで、柱の端部に固定される連結部材において、その挿入部の形状を柱の側方に延設した形状とすることにより、この側端部開口部を利用してその延設した挿入部を柱の側方に突出させた状態で固定することができるようになる。このように、柱の端部に取り付けられる連結部材の形状にバリエーションを持たせることができ、ひとつの連結部材に対して、複数の構造部材を固定することが可能となる。
【００２８】
また、突条部が複数設けられている柱にあっては、柱の端部において、複数の連結部材を固定することも可能である。すなわち、柱の端部から突条部の中空部に連結部材の挿入部を挿入して固定するタイプの連結部材と、突条部の側端部に形成された側端部開口部を利用して、突条部の中空部に連結部材の挿入部を挿入して固定するタイプの連結部材とを、柱の端部において同時に使用することも可能となる。したがって、様々な構造部材に対応した連結部材の固定を柱の端部において実現することができる。
【００２９】
さらに、前記連結部材は、複数部材を組み合わせて形成されてなり、各部材が前記挿入部をそれぞれ有している構成とするのがよい。
【００３０】
かかる柱の連結構造によれば、複数部材を組み合わせて連結部材が形成されてなり、各部材が挿入部をそれぞれ有しているので、連結部材が複数部材からなる構成であるにもかかわらず、強度の高い固定を実現することができる。また、連結部材を複数部材から構成することができるので、例えば、押出成形では形成することのできない形状の連結部材も形成することができ、連結部材による構造部材の固定にバリエーションをもたせることができる。
【００３１】
また、前記柱は基礎に固定されて立設されており、前記柱の上端部が前記連結部材を介して前記構造部材としての土台に連結されている構成とするのがよい。
【００３２】
かかる柱の連結構造によれば、基礎に固定されて立設された柱に、連結部材を介して構造部材としての土台を支持することができ、いわゆる高床式の構造物における土台下方の基礎構造をこの柱の連結構造を用いて構築することができる。
【００３３】
また、前記突条部と前記連結部材の固定部とが、前記突条部の表面から螺入されたドリリングタッピングねじによって接合されている構成とするのがよい。
【００３４】
かかる柱の連結構造によれば、下孔を必要としないドリリングタッピングねじを利用して突条部に連結部材の挿入部を固定することができ、下孔を必要としない分だけ、取り付けにかかわる加工が簡易となり施工性が良好となるとともに、柱や連結部材の生産性も向上する。
また、連結部材を介して固定される構造部材に対応してドリリングタッピングねじの本数を任意に設定することも可能である。
【００３５】
さらに、前記連結部材は、アルミニウム合金製の押出形材からなるものであってもよい。このようにすると、連結部材の生産性がより向上する。
【発明の効果】
【００３６】
本発明によれば、機能性に優れ、しかも、外観に優れた柱を得ることができる。また、柱と構造部材との連結部分における強度の向上を図ることができる柱の連結構造が得られる。
【発明を実施するための最良の形態】
【００３７】
以下、本発明の実施の形態を、添付した図面を参照しつつ詳細に説明する。なお、各実施の形態において、同一の要素には同一の符号を付し、重複する説明は省略する。
【００３８】
＜第１の実施形態＞
本発明の第１の実施形態に係る柱を、図１から図７を参照して説明する。
（基本構成）
まず、第１の実施形態に係る柱およびこの柱の連結構造における基本構成を、図１各図を参照して説明する。
ここで、図１（ａ）は本発明の第１の実施形態に係る柱を示す斜視図、図１（ｂ）は同じく平面図、図１（ｃ）は本発明の第１の実施形態に係わる柱に連結される連結部材の斜視図、図１（ｄ）は同じく柱の連結構造を示す斜視図、図１（ｅ）は連結構造を示す平断面図である。
【００３９】
第１の実施形態に係る柱１は、各部の肉厚が略等しい中空状の押出形材からなり、柱軸Ｏに沿った４つの突条部２Ａ〜２Ｄが、図１（ｂ）に示すように、柱軸Ｏ周りに放射状に突出形成されている。本実施の形態では、柱１がアルミニウム合金製の押出形材からなり、突条部２Ａ〜２Ｄが、図１（ｂ）に示すように、平面視（平断面も同形状）で略十字状を呈するように形成されている。
【００４０】
各突条部２Ａ〜２Ｄには、仕切り壁３Ａ〜３Ｄが形成されており、この仕切り壁３Ａ〜３Ｄによって、図１（ｂ）に示すように、各突条部２Ａ〜２Ｄに平断面で長四角状の中空部４Ａ〜４Ｄが形成されている。この中空部４Ａ〜４Ｄは、図１（ａ）に示すように、各突条部２Ａ〜２Ｄが柱１の端部（上端部）１ａまで延設されていることから、柱１の端部１ａには、中空部４Ａ〜４Ｄを臨む端部開口部４ａ〜４ｄが形成されている。
連結部材２０を柱１の上端部に固定するために、突条部２Ａ，２Ｃの上部近傍における側部２ａ，２ｃには、固定ボルト６の挿通孔７ａ，７ｃが設けられている。
また、柱１の中心部（柱軸Ｏの近傍）には、図１（ｂ）に示すように、平面視で四角状の中空部５が形成されている。
【００４１】
図１（ｃ）に示すように、連結部材２０は、板状の固定部２１と、この固定部２１から下方へ一体的に垂設された２枚の板状の挿入部２２ａ，２２ｃとを有している。このような連結部材２０は、図１（ｄ）に示すように、固定部２１が、柱１の上面（端面）全体を覆う大きさに形成されており、その肉厚は、柱１の肉厚よりも分厚く形成されている。なお、固定部２１には、その上面に載置される梁材４４等を固定するための図示しないボルト孔が形成されている。
【００４２】
挿入部２２ａ，２２ｃは、いずれも、柱１の中空部４Ａ，４Ｃに対して挿入可能な四角板状に形成されており、本実施の形態では、図１（ｄ）に示すように、挿入部２２ａ，２２ｃが柱１の中空部４Ａ，４Ｃ間に跨って挿入されるようになっている。このための構造として、挿入部２２ａ，２２ｃ間には、図１（ｃ）に示すように、柱１の中空部５およびその両側の仕切り壁３Ａ，３Ｃを逃がすための、間隙Ｓが形成されている。
【００４３】
また、挿入部２２ａ，２２ｃには、柱１の突条部２Ａ，２Ｃの各挿通孔７ａ，７ｃに対応する位置に挿通孔２３ａ，２３ｃが形成されている。
【００４４】
このような連結部材２０は、図１（ｄ）に示すように、挿入部２２ａ，２２ｃを、柱１の端部開口部４ａ，４ｃ（図１（ａ）参照）から中空部４Ａ，４Ｃに挿入し、固定ボルト６を、ワッシャ９を介して各挿通孔７ａ，７ｃから挿通して、ナット８により締め付けることで柱１の上端部に固定され、柱１に対して後記する梁材４４（図１（ｄ）参照）等の構造部材を固定するために用いられる。
【００４５】
本実施の形態では、連結部材２０がアルミニウム合金製の押出形材から形成されており、図１（ｃ）中符号Ｘを付して示した矢印は、連結部材２０を押出成形する際の押出方向を示している。
【００４６】
本実施の形態の柱１によれば、押出形材からなるので、押出成形により容易に形成することができ、また、効率よく生産することができる。柱１には、柱軸Ｏに沿った突条部２Ａ〜２Ｄが設けられており、この突条部２Ａ〜２Ｄは、中空部４Ａ〜４Ｄを備えてなるので、この突条部２Ａ〜２Ｄを利用して、図１（ｄ）に示すように、連結部材２０を固定することができる。したがって、機能性に優れた柱１が得られる。しかも、従来のような溝部を柱の側面に設ける必要がなくなるので、外観もすっきりしたものとなり、居室内等に露出させた場合にも圧迫感が無く外観に優れた柱１が得られる。
【００４７】
また、突条部２Ａ〜２Ｄは、柱軸Ｏに沿って突出して形成されているので、柱１の補強材としての役割をなし、特別な付帯設備を付加することなしに、柱１の剛性を高めることができる。したがって、シンプルな構成であるにもかかわらず、強度の高められた柱１が得られる。
【００４８】
さらに、柱１は、押出形材からなり、突条部２Ａ〜２Ｄが、柱軸Ｏ周りに放射状に突出形成されているので、外観を向上させることができ、従来にないデザイン的価値をもたせることができる。
【００４９】
また、複数の突条部２Ａ〜２Ｄが突出して形成されているので、前記したような連結部材２０を介して複数の構造部材を柱１に対して連結することができ、機能性がより高められた柱１が得られる。
【００５０】
さらに、突条部２Ａ〜２Ｄは、柱軸Ｏ周りに平断面で略十字状を呈するように形成されているので、外観に優れ、意匠的効果を十分に発揮することが可能な柱１が得られる。しかも、突条部２Ａ〜２Ｄは柱軸Ｏ周りに平断面で略十字状を呈するように形成されているので、耐力に優れ、構造強度の安定した柱１が得られる。
【００５１】
また、突条部２Ａ〜２Ｄは柱軸Ｏを中心とする対称位置に設けられることとなるので、連結部材２０や構造部材を取り付ける際の取付作業性に優れているという利点も得られる。
【００５２】
さらに、柱１は、アルミニウム合金製の押出形材からなるので、強度の割に軽量で腐食し難いというアルミニウム合金のメリットを活かすことができる。すなわち、柱１が軽量になるので、施工時の取り扱いが容易で、また、従来の木造住宅にも容易に適用することができる。また、廃棄の際の取扱も容易になる。
【００５３】
また、突条部２Ａ〜２Ｄは、中空部４Ａ〜４Ｄを備えているので、連結部材２０の固定にあたっては、前記したように、中空部４Ａ，４Ｃに対して連結部材２０の挿入部２２ａ，２２ｃを挿入した状態で固定するという固定態様を採ることができる。つまり、図１（ｅ）に示すように、突条部２Ａ，２Ｃに対して連結部材２０の挿入部２２ａ，２２ｃがサンドイッチ状態に挟み込まれた状態となるようにして固定を行うことができる。したがって、このような固定態様を採ることにより、突条部２Ａ〜２Ｄと連結部材２０の挿入部２２ａ，２２ｃとのボルト６を用いた固定を簡単に行うことができる。
【００５４】
しかも、連結部材２０は、その挿入部２２ａ，２２ｃが突条部２Ａ，２Ｃの中空部４Ａ，４Ｃに対して挿入されて固定されるという固定態様を採ることにより、突条部２Ａ，２Ｃに対する中子として作用するようになり、構造部材との連結を行う連結具としての役割を有するとともに、補強材としての役割を同時に兼ね備えものとなる。したがって、柱１の突条部２Ａ，２Ｃに連結部材２０を固定することによって、柱１の突条部２Ａ，２Ｃが同時に補強されるようになり、ひいては、柱１全体の剛性を向上させることができるようになる。
【００５５】
また、挿入部２２ａ，２２ｃが突条部２Ａ，２Ｃの中空部４Ａ，４Ｃの中子として作用するので、固定時におけるボルト６の締め付けにより突条部２Ａ，２Ｃにゆがみが生じることが防止される。
【００５６】
さらに、前記のような固定態様においては、連結部材２０の挿入部２２ａ，２２ｃが、突条部２Ａ，２Ｃに挟持された状態で固定されるので、柱１に対する連結部材２０の取付状態は安定したものとなり、その結果、柱１に梁材４４（図１(ｄ)参照）等の構造部材を安定した状態で取り付けることができるようになる。つまり、柱１と構造部材との連結部分における強度の向上を図ることができる柱１が得られる。
【００５７】
（第１変形例）
次に、図２〜図７を参照して、第１の実施形態に係る柱の連結構造の変形例について説明する。
図２は第１の実施形態に係る柱の連結構造の第１変形例を示した図であり、（ａ）は連結部材の分解斜視図、（ｂ）は柱へ連結部材を固定する際の様子を示した斜視図、（ｃ）は柱と連結部材との連結構造を示す斜視図である。
【００５８】
第１変形例の柱１の連結構造では、図２（ａ）に示すように、連結部材２０Ａが、４枚の四角板状の挿入部２２ａ〜２２ｄを有している点が、前記連結部材２０（図１（ｃ）参照）と異なっている。固定部２１Ａには、これら４枚の挿入部２２ａ〜２２ｄを取付固定するための固定孔２１ａ〜２１ｄが貫通形成されている。各挿入部２２ａ〜２２ｄは、図２（ｂ）に示すように、固定部２１Ａの各固定孔２１ａ〜２１ｄにきつく嵌め込まれて、溶接等により固定されるようになっている。
【００５９】
各挿入部２２ａ〜２２ｄは、図２（ｂ）に示すように、柱１の中空部４Ａ〜４Ｄにそれぞれ跨るようにして挿入され、各挿通孔７ａ〜７ｄ、孔２３ａ〜２３ｄを通じてボルト６とナット８により固定されるようになっている。
【００６０】
このような柱１の連結構造によれば、図２（ｃ）に示すように、連結部材２０Ａの各突条部２Ａ〜２Ｄを柱１の上端部において各中空部４Ａ〜４Ｄ（図２（ｂ）参照）にそれぞれ挿入して固定することができるので、連結部分における剛性をより高めることができる。
【００６１】
(第２変形例)
図３は第１の実施形態に係る柱の連結構造の第２変形例を示した図であり、（ａ）は柱の斜視図、（ｂ）は連結部材の斜視図、（ｃ）は柱と連結部材との連結構造を示す斜視図である。
【００６２】
第２変形例では、図３（ａ）に示すように、柱１Ｂの上部において、柱１Ｂの仕切り壁３Ａ，３Ｃが切り欠かれて削除されており、これによって、突条部２Ａと突条部２Ｃとの中空部４Ａと中空部４Ｃとが、柱１Ｂの上部で連通した構造となっている。また、連結部材２０Ｂは、図３（ｂ）に示すように、１枚の板状の挿入部２４が固定部２１から下方へ一体的に垂設された構成となっている。つまり、この第２変形例では、図３（ａ）に示すように、複数の突条部（ここでは、突条部２Ａ，２Ｃ）における中空部同士（ここでは、中空部４Ａ，４Ｃ）が柱１Ｂの上部において連通して設けられているとともに、連結部材２０Ｂは、連通して設けられた中空部４Ａ，４Ｃ間に亘る長さの挿入部２４を有している（図３（ｂ）（ｃ）参照）。
なお、前記した柱１Ｂの上部における仕切り壁３Ａ，３Ｃは、連結部材２０Ｂの挿入部２４を挿入することができる深さ程度に切り欠かれて形成されていればよい。また、中空部４Ａ，４Ｃが初めから連通した押出形材により柱１Ｂが形成されるようにしてもよい。
【００６３】
このような柱１Ｂの連結構造において、挿入部２４は、図３（ｃ）に示すように、連通して形成された中空部４Ａ，４Ｃに亘って挿入され、各挿通孔７ａ，７ｃ、孔２３ａ，２３ｃを通じてボルト６とナット８により固定されるようになっている（図３（ａ）（ｂ）参照）。
【００６４】
このような柱１Ｂの連結構造によれば、連結部材２０Ｂの挿入部２４が１枚の板状となっているとともに、この挿入部２４が柱１Ｂの中空部４Ａ，４Ｃ間に亘って挿入された状態で固定されるようになっているので、連結部分における剛性をより高めることができる。
また、本実施の形態では、連結部材２０Ｂをアルミニウム合金製の押出形材から簡易に形成することができる。なお、図３（ｂ）中符号Ｘを付して示した矢印は、連結部材２０Ｂを押出成形する際の押出方向を示している。
【００６５】
（第３変形例）
図４は第１の実施形態に係る柱の連結構造の第３変形例を示した図であり、（ａ）は連結部材の分解斜視図、（ｂ）は柱へ連結部材を固定する際の様子を示した斜視図、（ｃ）は柱と連結部材との連結構造を示す斜視図である。
【００６６】
第３変形例では、前記第２変形例で用いた連結部材２０Ｂ（図３（ｂ）参照）をさらに発展させて連結部材２０Ｃとした点が異なり、図４（ａ）（ｂ）に示すように、連結部材２０Ｃは、挿入部２４を挟んで両側に２枚の四角板状の挿入部２２ｂ，２２ｄが固定部２１Ｃに垂設された状態に固定されるようになっている。
【００６７】
挿入部２２ｂ，２２ｄは、図４（ｂ）に示すように、柱１Ｂの中空部４Ｂ，４Ｄに、それぞれ対応しており、これによって、連結部材２０Ｃは、挿入部２４が柱１Ｂの各中空部４Ａ，４Ｃ間に亘って挿入されるとともに、挿入部２２ｂ，２２ｄが、柱１Ｂの中空部４Ｂ，４Ｄに対して挿入されることで、柱１Ｂの上端部に取り付けられるようになっている。
【００６８】
したがって、このような柱１Ｂの連結構造によれば、挿入部２２ｂ，２２ｄを備えている分、連結部分における剛性をより高めることができるようになる。
【００６９】
また、この柱１Ｂの連結構造によれば、複数部材（固定部２１Ｃに一体の挿入部２４，固定部２１Ｃに固定される挿入部２２ｂ，２２ｄ）を組み合わせて連結部材２０Ｃが形成されてなり、各部材が挿入部２４，２２ｂ，２２ｄをそれぞれ有しているので、連結部材２０Ｃが複数部材からなる構成であるにもかかわらず、強度の高い固定を実現することができる。また、連結部材２０Ｃを複数部材から構成することができるので、１回の押出成形では形成することのできない形状も形作ることができ、連結部材２０Ｃによる構造部材の固定にバリエーションをもたせることができる。
【００７０】
（第４変形例）
図５は第１の実施形態に係る柱の連結構造の第４変形例を示した図であり、（ａ）は連結部材の分解斜視図、（ｂ）は柱へ連結部材を固定する際の様子を示した斜視図、（ｃ）は柱と連結部材との連結構造を示す斜視図である。
【００７１】
第４変形例では、連結部材２０Ｄが、前記第３変形例で用いた連結部材２０Ｃ（図４（ｂ）参照）と形状が基本的に同じであり、挿入部２４を、固定部２１Ｄと別体に構成した点が異なっている。
【００７２】
挿入部２４は、図５（ｂ）に示すように、固定部２１Ｄに形成された固定孔２１ｅにきつく嵌め込まれ、他の挿入部２２ｂ，２２ｄと同様に、溶接等によって固定されるようになっている。
【００７３】
このような連結部材２０Ｄを用いた柱１Ｂの連結構造においても、連結部分における剛性をより高めることができるという効果が得られる。
【００７４】
（第５変形例）
図６は第１の実施形態に係る柱の連結構造の第５変形例を示した図であり、（ａ）は柱の斜視図、（ｂ）は連結部材の分解斜視図、（ｃ）は連結部材の斜視図、（ｄ）は柱と連結部材との連結構造を示す斜視図である。
第５変形例では、図６（ａ）に示すように、柱１Ｅの上部において、柱１Ｅの仕切り壁３Ａ〜３Ｄがそれぞれ切り欠かれて削除されており、これによって、突条部２Ａ〜２Ｄの各中空部４Ａ〜４Ｄが、柱１Ｅの上部で相互に連通した構造となっている。また、連結部材２０Ｅは、図６（ｂ）に示すように、固定部２１Ｅと、平面視十字状に形成された挿入部２５とから構成されており、固定部２１Ｅには、挿入部２５がきつく嵌り込む平面視十字状の固定孔２１ｆが形成されている。つまり、この第５変形例では、各突条部２Ａ〜２Ｄにおける中空部４Ａ〜４Ｄ同士が柱１Ｅの上部において連通した状態に設けられているとともに、連結部材２０Ｅの挿入部２５は、この連通して設けられた中空部４Ａ〜４Ｄの全てに亘って挿入されるようになっている。
【００７５】
なお、前記した柱１Ｅの上部における仕切り壁３Ａ〜３Ｄは、連結部材２０Ｅの挿入部２５を挿入することができる深さ程度に切り欠かれて形成されていればよい。また、図６（ｅ）に示すように、各中空部４Ａ〜４Ｄが初めから連通した押出形材により柱１Ｅが形成されるようにしてもよい。
【００７６】
このような柱１Ｅの連結構造において、挿入部２５は、連通して形成された中空部４Ａ〜４Ｄ（図６（ａ）参照）に亘って挿入され、各挿通孔７ａ〜７ｄ、孔２３ａ〜２３ｄ(図６（ｂ）参照)を通じてボルト６とナット８により締め付けられて固定されるようになっている。
【００７７】
このような柱１Ｅの連結構造によれば、連結部材２０Ｅの挿入部２５が一体的に形成されているとともに、この挿入部２５が柱１Ｅの中空部４Ａ〜４Ｄに亘って挿入され、固定されるようになっているので、連結部分における剛性をより高めることができる。
また、本実施の形態では、連結部材２０Ｅの挿入部２５をアルミニウム合金製の押出形材から簡易に形成することができる。なお、図中符号Ｙを付して示した矢印は、挿入部２５を押出成形する際の押出方向を示している。
【００７８】
（第６変形例）
図７は第１の実施形態に係る柱の連結構造の第６変形例を示した図であり、（ａ）は柱の斜視図、（ｂ）は連結部材の斜視図、（ｃ）は柱と連結部材との連結構造を示す斜視図である。
第６変形例では、図７（ａ）に示すように、柱１Ｆに設けられた突条部２Ａ，２Ｃに対して中空部４Ａ，４Ｃが形成されており、その他の突条部２Ｂ，突条部２Ｄは、中空部をもたない板状に形成されている。そして、このような柱１Ｆに取り付けられる連結部材としては、２つの挿入部２２ａ，２２ｃを有する連結部材２０が用いられる。
【００７９】
このような柱１Ｆの連結構造によれば、突条部２Ｂ，２Ｄが中空部を有していない分、強度が高められており、連結部分における剛性がより高められた柱１Ｆの連結構造が得られる。
【００８０】
＜第２の実施形態＞
本発明の第２の実施形態に係る柱およびこの柱の連結構造を、図８から図１２を参照して説明する。なお、前記第１の実施形態に係る柱およびこの柱の連結構造と同一の要素には、同一の符号を付し、重複する説明は省略する。
【００８１】
（基本構成）
図８（ａ）は本発明の第２の実施形態に係る柱を示す斜視図、（ｂ）はこの柱に連結される連結部材の分解斜視図、（ｃ）は連結部材の斜視図、（ｄ）は柱と連結部材との連結構造を示す斜視図である。
【００８２】
第２の実施形態に係る柱１Ｇは、突条部２Ｃの上部において側端部１０Ｃが切り欠かれており、この切り欠かれた部分により、中空部４Ｃを臨む側端部開口部１１Ｃが形成された構成となっている。本実施の形態では、側端部開口部１１Ｃが、端部開口部４ｃの縁部から連続して切り欠かれて形成されている。
このような柱１Ｇに連結される連結部材２０Ｇは、図８（ｂ）（ｃ）に示すように、固定部２１Ａと、この固定部２１Ａに取付固定された挿入部２２ａ，２２ｂ，２２ｃ’，２２ｄとを有している。挿入部２２ｃ’は、側方に延設された連結部２６を有している。
【００８３】
このような連結部材２０Ｇは、図８（ｄ）に示すように、挿入部２２ｃ’の連結部２６が、突条部２Ｃの側端部開口部１１を通じて柱１Ｇの側方に突出した状態に固定することができる。これにより、側端部開口部１１Ｃから突出した連結部２６に対して、梁材やブレース等の構造部材を連結することが可能となる。
【００８４】
このような柱１Ｇの連結構造によれば、側端部開口部１１Ｃは、柱１Ｇの端部開口部４ｃの縁部から連続して切り欠かれて形成されているので、連結部材２０Ｇを柱１Ｇの上端部に取り付けると、側端部開口部１１Ｃを通じて連結部材２０Ｇの挿入部２２ｃ’の連結部２６が、柱１Ｇの側方に自動的に突出した状態で配置されることとなり、柱１Ｇの端部（上端部）において、複数の構造部材、例えば、梁材やブレース等を固定することが可能となる。したがって、柱１Ｇの上端部に取り付けられる連結部材２０Ｇの形状にバリエーションを持たせることができ、施工性に優れた柱１Ｇの連結構造が得られる。
【００８５】
なお、この柱１Ｇの連結構造では、複数の突条部２Ａ〜２Ｄを有しているので、柱１Ｇの端部（上端部）において、複数の連結部材を固定することも可能である。例えば、図示はしないが、柱１Ｇの端部から、中空部４Ｂ，４Ｄに連結部材の挿入部を挿入して固定するタイプの連結部材と、突条部２Ｃの側端部開口部１１Ｃを利用して、中空部４Ｃに連結部材の挿入部を挿入して固定するタイプの連結部材とを、柱１Ｇの端部において同時に使用することも可能となる。したがって、様々な構造部材に対応した連結部材の固定を柱１Ｇの端部において実現することができる。
【００８６】
図９は連結部材２０Ｇの連結部２６に対してブレース３０（水平ブレース）を連結したときの斜視図である。同図において、ブレース３０は、ブレース本体３１と、このブレース本体３１の先端部にカプラー３２を介して接続された接続端部３３とを備えている。なお、カプラー３２の両端に螺合するねじ軸３２ａ，３２ｂは、そのねじの向きが相互に逆向きとなるように形成されている。
接続端部３３は、連結部２６を両側から挟持することが可能な平面視コ字形に形成されており、その側面には、ボルト６ａを挿通するためのボルト孔３３ａ，３３ａ（一方のみ図示）が形成されている。なお、連結部材２０Ｇの連結部２６にも、このボルト孔３３ａに対応する位置に図示しないボルト挿通孔が形成されている。
【００８７】
このようなブレース３０は、連結部材２０Ｇの連結部２６に接続端部３３を挟持して、接続端部３３のボルト孔３３ａと連結部２６の図示しないボルト挿通孔を合わせ、ボルト６ａをこれらに挿通してナット８ａで締め付けることにより、連結部材２０Ｇの連結部２６に連結することができる。
【００８８】
（第１変形例）
次に、図１０〜図１２を参照して、第２の実施形態に係る柱の連結構造の変形例について説明する。
図１０は第２の実施形態に係る柱の連結構造の第１変形例を示した図であり、（ａ）は柱の斜視図、（ｂ）は連結部材の分解斜視図、（ｃ）は連結部材の斜視図、（ｄ）は柱と連結部材との連結構造を示す斜視図である。
【００８９】
第１変形例では、図１０（ａ）に示すように、柱１Ｈの上部において、柱１Ｈの仕切り壁３Ａ，３Ｃが切り欠かれており、これによって、突条部２Ａと突条部２Ｃとの中空部４Ａと中空部４Ｃとが、柱１Ｈの上部で連通した構造となっている。また、突条部２Ａの上部において側端部１０Ａが側端部１０Ｃと同様に切り欠かれており、この切り欠かれた部分により、中空部４Ａを臨む側端部開口部１１Ａが形成された構成となっている。本実施形態では、側端部開口部１１Ａが、端部開口部４ａの縁部から連続して切り欠かれて形成されている。
このような柱１Ｈに連結される連結部材２０Ｈは、図１０（ｂ）（ｃ）に示すように、固定部２１Ｈと、この固定部２１Ｈから下方へ一体的に垂設された１枚の板状の挿入部２４’と、固定部２１Ｈに形成された固定孔２１ｂ，２１ｄに取付固定される挿入部２２ｂ，２２ｄとを有している。挿入部２４’は、側方に延設された連結部２６’を有している。
【００９０】
このような柱１Ｈの連結構造によれば、連結部材２０Ｈの挿入部２４’を、中空部４Ａ，４Ｃ間に亘った状態にして挿入することができ、より強度の高い連結部材２０Ｈの取付状態を実現することができる。また、柱１Ｈの端部（上端部）に連結部材２０Ｈを取り付けると、図１０（ｄ）に示すように、挿入部２４’の連結部２６’が、突条部２Ｃの側端部開口部１１Ｃを通じて柱１Ｈの側方に突出した状態に配置されるので、この連結部２６’を利用して、梁材や前記ブレース３０等の構造部材を連結することが可能となる。また、突条部２Ａの側端部１０Ａにも、側端部開口部１１Ａが形成されているので、図示はしないがこの側端部開口部１１Ａを利用して、こちら側に連結部２６’を突出させることも可能となる。なお、挿入部２４の両側に連結部２６’を延設して、側端部開口部１１Ｃ，１１Ａの両側に連結部２６’を突出させるように構成してもよい。
【００９１】
（第２変形例）
図１１は第２の実施形態に係る柱の連結構造の第２変形例を示した図であり、（ａ）は連結部材の分解斜視図、（ｂ）は連結部材を柱に取り付ける際の様子を示した斜視図、（ｃ）は柱と連結部材との連結構造を示す斜視図である。
【００９２】
第２変形例では、図１１各図に示すように、連結部材２０Ｊは、前記した第１変形例の連結部材２０Ｈと形状は同様であるが、固定部２１Ｊに対して挿入部２２ｂ，２２ｄが一体的に形成され、固定部２１Ｊに対して挿入部２４’が別体に形成された点が異なっている。
【００９３】
このような構成とすることにより、連結部材２０Ｊにバリエーションをもたせることができ、また、連結部材２０Ｊの押出成形も複数パターンで行うことができるようになる。
【００９４】
（第３変形例）
図１２は第２の実施形態に係る柱の連結構造の第３変形例を示した図であり、（ａ）は柱の斜視図、（ｂ）は連結部材の分解斜視図、（ｃ）は連結部材の斜視図、（ｄ）は柱と連結部材との連結構造を示す斜視図である。
【００９５】
第３変形例の柱１Ｋは、図１２（ａ）に示すように、前記柱１Ｈにさらに変更を加えたものであり、仕切り壁３Ｂ，３Ｄを切り欠いて、中空部４Ａ〜４Ｄが相互に連通するように構成してある。また、連結部材２０Ｋにおいては、固定部２１Ｋに挿入部２４’が一体的に形成されており、さらに、これと直交する挿入部２７が固定部２１Ｋに対して固定される構成となっている。そして、挿入部２４’と挿入部２７との交差する部分に相互に切り込み溝２４ａ’，２７ａが形成されており、これら切り込み溝２４ａ’，２７ａを介して挿入部２４’と挿入部２７とが組み合わされるようになっている。
【００９６】
このような柱１Ｋの連結構造によれば、挿入部２４’と挿入部２７とが組み合わされて形成されている分、個々に単独に設けられているもの等に比べて、連結部材２０Ｋの強度を高めることができ、柱１Ｋと構造部材との連結部分における強度の向上を図ることができる。
【００９７】
（その他の態様）
図１３〜図１５は柱の連結構造のその他の態様を示した説明図である。なお、これらの図面において、各部材を連結するためのボルト６およびナット８は図示を省略した。
はじめに、図１３において、柱１Ｈは、上端部と下端部に、前記した側端部開口部１１Ａ，１１Ｃ（下端部において１１Ａは不図示）が形成されており、かつ、中空部４Ａと中空部４Ｃとが連通された構成となっている。また、柱１Ｈの高さ方向の途中部位には、側端部１０Ｃが切り欠かれ、側端部開口部１２Ｃが形成されている。
【００９８】
柱１Ｈの下端部には、斜め上方へ延設された上り延設部４１Ａを有する連結部材４０Ａが連結され、また、柱１Ｈの上端部には、斜め下方へ延設された下り延設部４１Ｂを有する連結部材４０Ｂが連結される。
連結部材４０Ａは、固定部４２Ａと、この固定部４２Ａに一体的に立設された挿入部４３Ａとを備えており、挿入部４３Ａの側端部に前記延設部４１Ａが一体的に設けられている。固定部４２Ａは、図示しない土台や床梁等に図示しないボルトを介して固定される。また、挿入部４３Ａは、柱１Ｈの下端から中空部４Ａおよび中空部４Ｃ（中空部４Ａは不図示、以下同じ）に挿入されて固定される。延設部４１Ａの先端部には、ブレース３０の端部に設けられた接続端部３３が挟持されて取り付けられる。
【００９９】
一方、連結部材４０Ｂは、全体が１枚の平板から形成されており、縦長四角形状の挿入部４３Ｂを基体として、側端部に前記延設部４１Ｂが一体的に設けられている。
挿入部４３Ｂは、この例では、その下部側が柱１Ｈの上端部から中空部４Ａおよび中空部４Ｃに挿入されて固定される。また、その上部側が梁材４４に形成された貫通孔４４ａを貫通して、梁材４４の上方へ突出し、梁材４４の上方に配置される柱１Ｈ’の中空部４Ａ（不図示）および中空部４Ｃに挿入されて固定される。したがって、連結部材４０Ｂには、柱１Ｈに固定するためのボルト孔４０ａと、梁材４４に固定するためのボルト孔４０ｂと、柱１Ｈ’に固定するためのボルト孔４０ｃが形成されている。なお、梁材４４の上方において柱１Ｈ’と連結を行わない場合には、連結部材４０Ｂの破線４０ｄより上部部分は不必要となる。連結部材４０Ｂの延設部４１Ｂには、ブレース３０を連結することができる。
【０１００】
さらに、連結部材４０Ｄを介して梁材４４の側方に、横架材４５等を固定することもできる。このように、柱１Ｈの上端部周りに、連結部材４０Ｂを介して、梁材４４、柱１Ｈ’、横架材４５等の複数の構造部材を連結することができる。
【０１０１】
また、側端部開口部１２Ｃには、略Ｙ字形に形成された連結部材４０Ｃが取り付け可能である。連結部材４０Ｃは、挿入部４３Ｃと、固定部４２Ｃ，４２Ｃとを備えている。挿入部４３Ｃは、側端部開口部１２Ｃから突条部２Ｃの中空部４Ｃに挿入されて固定されるようになっている。この例では、挿入部４３Ｃが突条部２Ｃの中空部４Ｃに配置される大きさに形成してあるが、挿入部４３Ｃを長く形成して、連通形成した中空部４Ｃと中空部４Ａとに挿入部４３Ｃが固定されるようにすることもできる。
【０１０２】
このような連結構造によれば、突条部２Ｃに側端部開口部１２Ｃを形成することで、突条部２Ｃの側方の任意の位置に、連結部材４０Ｃ等を簡単に固定することができる。
【０１０３】
次に、図１４に示す柱の連結構造について説明する。
図１４に示す柱１Ｈの連結構造では、突条部２Ｃに側端部開口部１２Ｃを形成することで、この側端部開口部１２Ｃから中子４６を突条部２Ｃの中空部４Ｃに挿入し、この中子４６を介して、柱１Ｈの側方から柱勝ち４７等の構造部材を柱１Ｈに連結するようにした例を示している。
【０１０４】
柱勝ち４７には、柱１Ｈの突条部２Ｃを逃がすための凹部４７ａが形成されており、これにより、柱勝ち４７の前端４７ｂが柱１Ｈの突条部２Ｂ，２Ｄの側面に密着した状態で接合されるようになっている。
【０１０５】
なお、図１４に示した柱１Ｈでは、下端部において逆Ｔ字形の連結部材４０Ｅが連結されて図示しない土台等に柱１Ｈが連結され、また、上端部において板状の連結部材４０Ｆが連結されて梁材４４、柱１Ｈ’が連結されるようになっている。また、例えば、柱１Ｈの下端に用いた連結部材４０Ｅを梁材４４に利用して、梁材４４と他の構造部材との連結を行うようにすることもできる。
【０１０６】
さらに、図１５に示す柱の連結構造について説明する。
図１５は柱の連結構造のその他の態様を示した説明図であり、（ａ）は全体の構成を示した斜視図、（ｂ）（ｃ）は連結部材の分解斜視図である。
図１５（ａ）（ｂ）において、柱１Ｌは、上端部および下端部において、突条部２Ａ〜２Ｄのそれぞれに、側端部開口部１１Ａ〜１１Ｄが形成されており、各中空部４Ａ〜４Ｄが連通した構成となっている。
【０１０７】
柱１Ｌの下端には、連結部材５０Ａが連結され、また、柱１Ｌの上端部には、連結部材５０Ｂが連結される。
連結部材５０Ａは、固定部５１と、この固定部５１に取付固定された挿入部５２とを備えている。挿入部５２は、図１５（ｃ）に示すように、２つの形材５２Ａ，５２Ｂを組み合わせてなり、対向する部位にそれぞれ切り込み５２ａ，５２ｂが形成されている。各形材５２Ａ，５２Ｂには、斜め上方へ延びる延設部５３ａ，５３ｂがそれぞれ設けられている。この延設部５３ａ，５３ｂには、前記したブレース３０（不図示）等の構造部材が連結可能である。
【０１０８】
連結部材５０Ｂは、図１５（ｂ）に示すように、前記した連結部材４０Ｂに形材５２Ａを組み合わせてなり、対向する部位にそれぞれ切り込み４２ｂ，５２ａが形成されて挿入部５４が形成されている。
【０１０９】
このような連結部材５０Ａ，５０Ｂは、柱１Ｌの上端部および下端部において、突条部２Ａ〜２Ｄの各中空部４Ａ〜４Ｄに亘って挿入部５２，５４が挿入されることで柱１Ｌに固定されるようになっている。
【０１１０】
このような柱１Ｌの連結構造によれば、各中空部４Ａ〜４Ｄに亘って挿入部５２，５４が固定されて連結部材５０Ａ，５０Ｂが柱１Ｌに取り付けられるので、強度の高い連結部材の取付状態を実現することができる。
【０１１１】
図１６は柱の連結構造を利用して土台を固定したコテージを示す概略構造図、図１７は柱の連結構造を示す斜視図である。
図１６に示したコテージＣでは、床材Ｆを支持する土台Ｄが、基礎Ｂに立設された複数の柱１Ｍによって支持された構造（いわゆる高床式の構造）となっており、柱１Ｍと土台Ｄとの連結が、図１７に示すように、前記した連結部材２０Ｂ（図３（ｂ）参照）を介して行われるようになっている。
【０１１２】
図１７に示すように、柱１Ｈは、基礎Ｂに下部が固定（必要によりアンカーボルトで固定）されて立設されており、上端部に連結部材２０Ｂが取り付けられるようになっている。連結部材２０Ｂは、柱１Ｈの中空部４Ａ，４Ｃに挿入部２４を挿入して、ボルト６およびナット８とによる締め付けを行うことにより、柱１Ｈの上端部に固定される。連結部材２０Ｂの固定部２１上には、土台Ｄ（アルミニウム合金製の押出形材）が載置され、土台Ｄの側部Ｄ１に沿った形状の補強部材６０を介して、土台Ｄと連結部材２０Ｂとがボルト６とナット８による締め付けによって固定されるようになっている。
【０１１３】
補強部材６０には、その中央部に補強板６１が溶接等により取り付けられており、強度の向上が図られている。
【０１１４】
このような柱１Ｈの連結構造によれば、基礎Ｂに固定されて立設された柱１Ｈに、連結部材２０Ｂを介して構造部材としての土台Ｄを支持することができ、いわゆる高床式の構造物における土台Ｄ下方の基礎構造を、この柱１Ｈの連結構造を用いて構築することができる。
【０１１５】
以上、本発明の実施形態について説明したが、本発明は、前記した各実施形態に限定されるものではなく、適宜変更して実施することができる。
例えば、図１８に示した連結部材２０Ｎのように、固定部２１の下方に一体的に垂設される挿入部２８の形状を門型（中央下部が切り欠かれた形状）に形成してもよい。このように挿入部２８の形状を門型とすることにより、次のようなメリットが得られる。
【０１１６】
すなわち、図１９（ａ）（ｂ）に示すように、挿入部２８を門型に形成することにより、挿入部２８の中央下部には切欠き部２８ａが形成されることとなり、この切欠き部２８ａにより形成された空間に、柱１Ｂの仕切り壁３Ａ，３Ｃを逃がすことができる。これにより、図１９（ｂ）に示すように、仕切り壁３Ａ，３Ｃの切欠き深さｈは浅いままで、挿入部２８を中空部４Ａ，４Ｃの深い位置まで挿入することができるようになる。したがって、より強度の高い柱１Ｈと連結部材２０Ｎとの連結構造を実現することができる。
【０１１７】
また、図２０（ａ）（ｂ）に示すように、柱７０を３つの突条部２Ｂ，２Ｃ，２Ｄからなる平面視Ｔ字形に形成してもよい。このような柱７０においても、固定部２１と挿入部２４とからなる連結部材２０Ｐを、図２０（ｂ）に示すように、柱７０の上端部に固定することができる。なお、図２０（ｃ）に示すように、柱７０は、仕切り壁３Ｃを無くして、突条部２Ｂ〜２Ｄの中空部４Ｂ〜４Ｄが連通するように構成してもよい。
【０１１８】
さらに、図２１（ａ）（ｂ）に示すように、平面視Ｔ字形の柱７１において、各突条部２Ａ，２Ｂ，２Ｄを仕切り壁３Ａ，３ＢＤで仕切るように構成してもよい。このような柱７１においては、例えば、中空部４Ｂ，４Ｄに対応する挿入部２２ｂ，２２ｄを有する連結部材２０Ｑを、柱７１に取り付けることができる。
【０１１９】
また、突条部と連結部材の固定部とが、突条部の表面から螺入されたドリリングタッピングねじによって接合されるように構成してもよい。
このような柱の連結構造によれば、下孔を必要としないドリリングタッピングねじを利用して突条部に連結部材の挿入部を固定することができ、下孔を必要としない分だけ、取り付けにかかわる加工が簡易となり施工性が良好となるとともに、柱や連結部材の生産性も向上する。
また、連結部材を介して固定される構造部材に対応してドリリングタッピングねじの本数を任意に設定することも可能である。
【図面の簡単な説明】
【０１２０】
【図１】（ａ）は本発明の第１の実施形態に係る柱を示す斜視図、（ｂ）は同じく平面図、（ｃ）は本発明の第１の実施形態に係わる柱に連結される連結部材の斜視図、（ｄ）は同じく柱の連結構造を示す斜視図、（ｅ）は連結構造を示す平断面図である。
【図２】第１の実施形態に係る柱の連結構造の第１変形例を示した図であり、（ａ）は連結部材の分解斜視図、（ｂ）は柱へ連結部材を固定する際の様子を示した斜視図、（ｃ）は柱と連結部材との連結構造を示す斜視図である。
【図３】第１の実施形態に係る柱の連結構造の第２変形例を示した図であり、（ａ）は柱の斜視図、（ｂ）は連結部材の斜視図、（ｃ）は柱と連結部材との連結構造を示す斜視図である。
【図４】第１の実施形態に係る柱の連結構造の第３変形例を示した図であり、（ａ）は連結部材の分解斜視図、（ｂ）は柱へ連結部材を固定する際の様子を示した斜視図、（ｃ）は柱と連結部材との連結構造を示す斜視図である。
【図５】第１の実施形態に係る柱の連結構造の第４変形例を示した図であり、（ａ）は連結部材の分解斜視図、（ｂ）は柱へ連結部材を固定する際の様子を示した斜視図、（ｃ）は柱と連結部材との連結構造を示す斜視図である。
【図６】第１の実施形態に係る柱の連結構造の第５変形例を示した図であり、（ａ）は柱の斜視図、（ｂ）は連結部材の分解斜視図、（ｃ）は連結部材の斜視図、（ｄ）は柱と連結部材との連結構造を示す斜視図、（ｅ）は柱の変形例を示す平面図である。
【図７】第１の実施形態に係る柱の連結構造の第６変形例を示した図であり、（ａ）は柱の斜視図、（ｂ）は連結部材の斜視図、（ｃ）は柱と連結部材との連結構造を示す斜視図である。
【図８】（ａ）は本発明の第２の実施形態に係る柱を示す斜視図、（ｂ）はこの柱に連結される連結部材の分解斜視図、（ｃ）は連結部材の斜視図、（ｄ）は柱と連結部材との連結構造を示す斜視図である。
【図９】ブレースの連結状態を示す斜視図である。
【図１０】第２の実施形態に係る柱の連結構造の第１変形例を示した図であり、（ａ）は柱の斜視図、（ｂ）は連結部材の分解斜視図、（ｃ）は連結部材の斜視図、（ｄ）は柱と連結部材との連結構造を示す斜視図である。
【図１１】第２の実施形態に係る柱の連結構造の第２変形例を示した図であり、（ａ）は連結部材の分解斜視図、（ｂ）は連結部材を柱に取り付ける際の様子を示した斜視図、（ｃ）は柱と連結部材との連結構造を示す斜視図である。
【図１２】第２の実施形態に係る柱の連結構造の第３変形例を示した図であり、（ａ）は柱の斜視図、（ｂ）は連結部材の分解斜視図、（ｃ）は連結部材の斜視図、（ｄ）は柱と連結部材との連結構造を示す斜視図である。
【図１３】柱の連結構造のその他の態様を示した説明図である。
【図１４】柱の連結構造のその他の態様を示した説明図である。
【図１５】柱の連結構造のその他の態様を示した説明図である。
【図１６】柱の連結構造を利用して土台を固定したコテージを示す概略構造図である。
【図１７】柱の連結構造を示す斜視図である。
【図１８】その他の柱の連結構造を示す斜視図である。
【図１９】（ａ）（ｂ）はその他の柱の連結構造を示す説明図である。
【図２０】（ａ）〜（ｃ）はその他の柱の連結構造を示す説明図である。
【図２１】（ａ）（ｂ）はその他の柱の連結構造を示す説明図である。
【符号の説明】
【０１２１】
１      柱
２Ａ〜２Ｄ    突条部
４Ａ〜４Ｄ    中空部
４ａ〜４ｄ    端部開口部
５      中空部
６      固定ボルト
１０Ｃ  側端部
１１Ａ  側端部開口部
１１Ｃ  側端部開口部
１２Ｃ  側端部開口部
２０    連結部材
２１    固定部
２２ａ  挿入部
２２ｂ  挿入部
２２ｃ  挿入部
２４    挿入部
３０    ブレース
Ｃ      コテージ
Ｄ      土台
Ｏ      柱軸
【図１】
2005350934.tif 000003
【図２】
2005350934.tif 000004
【図３】
2005350934.tif 000005
【図４】
2005350934.tif 000006
【図５】
2005350934.tif 000007
【図６】
2005350934.tif 000008
【図７】
2005350934.tif 000009
【図８】
2005350934.tif 000010
【図９】
2005350934.tif 000011
【図１０】
2005350934.tif 000012
【図１１】
2005350934.tif 000013
【図１２】
2005350934.tif 000014
【図１３】
2005350934.tif 000015
【図１４】
2005350934.tif 000016
【図１５】
2005350934.tif 000017
【図１６】
2005350934.tif 000018
【図１７】
2005350934.tif 000019
【図１８】
2005350934.tif 000020
【図１９】
2005350934.tif 000021
【図２０】
2005350934.tif 000022
【図２１】
2005350934.tif 000023